(57)【要約】【課題】頭体に対して義眼体を簡易に着脱することができ、また、義眼体のサイズの変化にも柔軟に対応することができる人形の頭構造を得る。【解決手段】人形の頭構造において、内部空間を有し、その内部空間から外方へ貫通する開口が設けられた頭体と、前記頭体の内部空間に圧縮した状態で収容される弾性体と、前記頭体の内部空間側から前記開口を塞ぐように配置され、前記弾性体によって前記開口側へ押圧される義眼体と、を具備する。【選択図】  図１
2018187256.tif 000002
【特許請求の範囲】
【請求項１】
内部空間を有し、その内部空間から外方へ貫通する開口が設けられた頭体と、
前記頭体の内部空間に圧縮した状態で収容される弾性体と、
前記頭体の内部空間側から前記開口を塞ぐように配置され、前記弾性体によって前記開口側へ押圧される義眼体と、を具備することを特徴とする人形の頭構造。
【請求項２】
前記義眼体が、前記弾性体と接触する凸面を有している請求項１記載の人形の頭構造。
【請求項３】
前記凸面が、球面状又は略球面状になっている請求項２記載の人形の頭構造。
【請求項４】
前記義眼体が、前記頭体の内部空間側から前記開口を塞ぐように配置された状態において、前記開口側を向く虹彩部材と、前記虹彩部材に接続され、前記弾性体と接触する支持部材と、を備え、
前記虹彩部材が、前記支持部材に対して前記開口の周方向に沿って回転できるようになっている請求項１乃至３のいずれかに記載の人形の頭構造。
【請求項５】
前記頭体が、人の頭部を模した外形を有し、その顔面側に前記開口を設けたものであり、
前記弾性体が、前記頭体の内部空間に収容された状態おいて、前記頭体の後頭部側内面又は両側頭部側内面の少なくとも一方を押圧する請求項１乃至４のいずれかに記載の人形の頭構造。
【請求項６】
前記請求項１乃至５のいずれかに記載の頭構造を備えた人形。
【請求項７】
内部空間を有し、その内部空間から外方へ貫通する開口が設けられた頭体に対し、前記内部空間側から前記開口を塞ぐように配置され、前記内部空間に圧縮状態で収容された弾性体によって前記開口側へ押圧される義眼体を構成するものであって、
前記義眼体の前記開口側を向く虹彩部材に対し、その虹彩部材が前記開口の周方向に沿って回転できるように装着されることを特徴とする支持部材。
【請求項８】
内部空間を有し、その内部空間から外方へ貫通する開口が設けられた頭体の前記内部空間に対し、弾性体を圧縮状態で収容した後、義眼体を前記開口を塞ぐように配置し、その義眼体を前記弾性体によって前記開口側へ押圧することを特徴とする人形の義眼体取付方法。
【発明の詳細な説明】
【技術分野】
【０００１】
本発明は、人形の頭構造、人形、支持部材及び人形の義眼取付方法に関するものである。
【背景技術】
【０００２】
人形の頭構造として、特許文献１には、内部空間を有し、その内部空間から外方へ貫通する開口を有する頭体と、頭体の内部空間側から開口を塞ぐように配置される義眼体と、頭体内面に接着固定される取付部本体と、取付部本体に対して摺動可能に備えられ、頭体の開口側へ義眼体を押圧する眼球押え部と、を具備する人形の頭構造が開示されている。
【０００３】
しかし、特許文献１に開示された人形の頭構造においては、義眼体を取り付ける場合に、眼球押え部に義眼体を嵌め込む作業、眼球押え部に取付部本体を差し込む作業及び義眼体の向きを調整する作業の三つの作業を並行して行う必要があり、また、これらの作業を狭い内部空間で行う必要があることから、簡単に義眼体を着脱することができないという問題点があった。また、取付部本体は、特定のサイズの義眼体を使用しながら頭体に位置決めして接着剤で接着固定されるため、この接着固定された位置がずれていると、義眼体を取り付けた場合に、義眼体を適切な方向に向けることができなくなる可能性があり、また、他の大きさの義眼体を取り付けることができなくなる可能性もあるという問題点があった。
【先行技術文献】
【特許文献】
【０００４】
【特許文献１】特開２００６−１３６４５１
【発明の概要】
【発明が解決しようとする課題】
【０００５】
そこで、本発明は、頭体に対して義眼体を簡易に着脱することができ、また、義眼体のサイズの変化にも柔軟に対応することができる人形の頭構造を得ることを主な課題とするものである。
【課題を解決するための手段】
【０００６】
すなわち、本発明に係る人形の頭構造は、内部空間を有し、その内部空間から外方へ貫通する開口を有する頭体と、前記頭体の内部空間に圧縮状態で収容される弾性体と、前記頭体の内部空間側から前記開口を塞ぐように配置され、前記弾性体によって前記開口側へ押圧される義眼体と、を具備することを特徴とするものである。
【０００７】
このようなものであれば、弾性体が、頭体の内部空間に圧縮された状態を維持しながら収容され、その弾性体によって義眼体を開口側へ押圧して取り付けるため、頭体の内部空間に対し、義眼体及び弾性体を同時に収容する必要がない。すなわち、例えば、頭体の内部空間に対して弾性体を収容した後に義眼体を取り付けるようにすれば、弾性体を収容する作業、義眼体を取り付ける作業及び義眼体の向きを調整する作業を順次行うことができるため、頭体に対して義眼体を容易に着脱でき、かつ、義眼体の向きも容易に調整することができる。また、弾性体が伸縮するため、義眼体のサイズの変化にも柔軟に対応することができる。
【０００８】
また、前記人形の頭構造において、前記義眼体が、前記弾性体と接触する凸面を有しているものであってもよく、さらに、前記凸面が、球面状又は略球面状になっているものであってもよい。
【０００９】
このようなものであれば、義眼体が、弾性体に対して滑り易くなり、これに伴って頭体と弾性体との間を自由に回転できるようになり、頭体の開口に対する義眼体の向きを調整し易くなる。ここで、略球面状とは、楕円球面状や多面球面状のように大まかな外面形状が球面状に近い形状のものである。
【００１０】
また、前記いずれかの人形の頭構造において、前記義眼体が、前記頭体の内部空間側から前記開口を塞ぐように配置された状態において、前記開口側を向く虹彩部材と、前記虹彩部材に接続され、前記弾性体と接触する支持部材と、を備え、前記虹彩部材が、前記支持部材に対して前記開口の周方向に沿って回転できるようになっているものであってもよい。
【００１１】
このようなものであれば、義眼体の支持部材を弾性体に対して動かすことなく、その支持部材に対して虹彩部材のみを回転させることができる。これにより、頭体の開口側から視える虹彩部材の目線の向きを変更することなく、虹彩部材に描かれた虹彩の周方向の向きのみを容易に調整することができる。
【００１２】
また、前記いずれかの人形の頭構造において、前記頭体が、人の頭部を模した外形を有し、その顔面側に前記開口を設けたものであり、前記弾性体が、前記頭体の内部空間において、前記頭体の後頭部側内面又は両側頭部側内面の少なくとも一方へ向かって伸長し、その内面を押圧するものであってもよい。
【００１３】
このようなものであれば、頭体の開口側に対して義眼体をある程度の押圧力を維持した状態で固定することができる。
【００１４】
また、本発明に係る人形は、前記いずれかの頭構造を備えたものである。
【００１５】
さらに、本発明に係る支持部材は、内部空間を有し、その内部空間から外方へ貫通する開口が設けられた頭体に対し、前記内部空間側から前記開口を塞ぐように配置され、前記内部空間に圧縮状態で収容された弾性体によって前記開口側へ押圧される義眼体を構成するものであって、前記頭体の前記開口側を向く虹彩部材に対し、その虹彩部材が前記開口の周方向に沿って回転できるように装着されることを特徴とするものである。
【００１６】
また、本発明に係る人形の義眼取付方法は、内部空間を有し、その内部空間から外方へ貫通する開口が設けられた頭体の前記内部空間に対し、弾性体を圧縮状態で収容した後、義眼体を前記開口を塞ぐように配置し、その義眼体を前記弾性体によって前記開口側へ押圧することを特徴とするものである。
【００１７】
このようなものであれば、頭体の内部空間に対し、弾性体及び義眼体を順次収容するため、各作業を並行して行う必要がなく、頭体に対して義眼体を容易に取り付けることができる。
【発明の効果】
【００１８】
このように構成した本発明によれば、頭体に対して義眼体を簡易に着脱することができ、また、義眼体のサイズの変化にも柔軟に対応することができる。
【図面の簡単な説明】
【００１９】
【図１】実施形態１に係る人形の頭部を分解した状態を示す模式図である。
【図２】実施形態１に係る弾性体を示す斜視図である。
【図３】実施形態１に係る義眼体を示す分解図である。
【図４】実施形態１に係る義眼体の組立状態を示す断面図である。
【図５】従来の義眼体を示す斜視図及び分解断面図である。
【図６】実施形態１に係る人形の頭部の組立手順を示す模式図である。
【図７】実施形態１に係る人形の頭部を示すＤ−Ｄ断面図である。
【図８】実施形態２に係る義眼体を示す断面図及びＥ−Ｅ断面図である。
【図９】実施形態３に係る義眼体を示す分解図及び断面図である。
【発明を実施するための形態】
【００２０】
以下に、本発明に係る人形の頭構造について図面を参照して説明する。
【００２１】
本発明に係る人形の頭構造は、義眼体を着脱することができるタイプの人形の頭部に対して適用することができる。なお、本発明に係る人形には、人と模したもの以外にも、ロボット、動物、架空生物等を模したものが含まれる。
【００２２】
＜実施形態１＞
本実施形態に係る人形の頭部１００は、図１に示すように、内部空間Ｓを有し、人の頭を模した外形を有する頭体ＨＢと、頭体ＨＢの内部空間Ｓに収容される弾性体ＥＢと、頭体ＨＢの内部空間Ｓに弾性体ＥＢによって押圧して支持される義眼体ＡＥと、を具備している。
【００２３】
前記頭体ＨＢは、内部空間Ｓを有し、顔体１０と頭頂体２０とに二分割されている。具体的には、顔体１０は、人の頭における頭頂部以外の部分、具体的には、顔部、後頭部及び両側頭部を含む部分を模した外形を有している。また、頭頂体２０は、人の頭における頭頂部を模した外形を有している。
【００２４】
前記顔体１０は、頭頂体２０との分割面に大きな開口が設けられており、その開口の縁を周回するように突出片１１が内側に向かって伸びている。また、頭頂体２０は、顔体１０との分割面に大きな開口が設けられており、その開口の縁を周回するように溝片２１が内側に向かって伸びている。なお、溝片２１には、外側へ向かって開口する外周溝２２が設けられている。よって、顔体１０及び頭頂体２０は、溝片２１の外周溝２２に対して突出片１１を嵌め込むことによって互いに結合できるようになっている。
【００２５】
また、顔体１０は、人の顔における両目に該当する部分に瞼を模した瞼状開口１２を有している。そして、瞼状開口１２は、顔体１０の内部空間Ｓから外方に向かって貫通している。また、瞼状開口１２は、その縁が義眼体ＡＥを保持し易いように内部空間Ｓ側へ向かってテーパー状に広がるように開口しており、顔体１０の内面を構成している。さらに、顔体１０には、人の胴を模した外形を有する胴体の首部（図示せず）に対向する面に、その首部から伸びる軸棒（図示せず）が差し込まれる接続孔１３が設けられている。なお、本実施形態の瞼状開口１２が、請求項における開口に対応している。
【００２６】
前記弾性体ＥＢは、図２（ａ）に示すように、略直方体状のものであり、長手方向に伸びる一方の対面のうちで、一方面３１が平坦状になり、他方面３２が両側３４の端から中央に向かって略Ｖ字状に窪んだ形状になっているのものである。これにより、弾性体ＥＢは、薄肉状の中央３３から両側３４の端に向かって厚肉状になった形状になっており、その両側３４が中央に対して対称形状になっている。また、弾性体ＥＢは、両側３４の端面３５が湾曲凹状に窪んでおり、両端面３５は、一方面３１側（平坦面側）よりも他方面３２側（略Ｖ字面側）の方が迫り出した形状になっている。そして、弾性体ＥＢは、図２（ｂ）に示すように、厚肉状の両側３４が並行に並ぶように、薄肉状の中央３３で折り曲げ、二つ折り状態で使用される。なお、弾性体ＥＢとしては、ゴムや、ウレタン等からなるスポンジなどを使用することができる。
【００２７】
前記義眼体ＡＥを図３に基づいて説明する。なお、図３（ａ）には、義眼体ＡＥを構成する各部材の断面図を示しており、図３（ｂ）には、図３（ａ）に示す各部材をＡ−Ａ方向，Ｂ−Ｂ方向，Ｃ−Ｃ方向から目視した状態を示している。義眼体ＡＥは、虹彩を有する虹彩部材４０と、虹彩部材４０に対して軸部材５０を介して接続される支持部材６０と、を備えている。虹彩部材４０は、虹彩４１が外面側に描かれた半球殻状のものであり、その内面側中央から軸体４２が伸びている。よって、虹彩部材４０は、半球状の外形となり、半球面状の外面を有している。
【００２８】
軸部材５０は、虹彩部材４０の軸体４２が差し込まれる円筒状の軸穴５２が設けられおり、その外周面にフランジ５１を有している。そして、軸部材５０の軸穴５２は、フランジ５１側が大きい内径を有し、フランジ５１と反対側が小さい内径になっている。なお、軸部材５０には、外面から内面へと達する縦割溝５２が設けられており、これにより、軸部材５０の材料が有する弾性を利用し、内径が弾性的に伸縮するようになっている。
【００２９】
支持部材６０は、軸部材５０が嵌り込む軸孔６１が平滑面側に設けられた半球状のものであり、軸孔６１を囲む平滑面から三つの支持片６２が突出している。なお、軸孔６１には、軸部材５０のフランジ５１が嵌り込む周溝６３が内周面に設けられており、また、各支持片６２には、外周面に複数の段差が設けられている。
【００３０】
そして、義眼体ＡＥは、図４に示すように、前記各部材４０，５０，６０を組み立てることにより、略球体状になる。詳述すると、先ず、虹彩部材４０の軸体４２を軸部材５０の軸穴５２に差し込んで固定する。次に、支持部材６０の軸孔６１に対して軸部材５０を差し込み、周溝６３にフランジ５１を嵌め込むことにより、虹彩部材４０に対して支持部材６０を脱落しないように固定する。この状態において、支持部材６０の軸孔６１に軸部材５０が遊嵌すると共に、支持部材６０の各支持片６３の段差に虹彩部材４０が引っ掛かり、支持部材６０に対して虹彩部材４０が、軸体４２を回転軸として回転可能に接続される。
【００３１】
因みに、従来から市販されている義眼体ＡＥ´は、図５に示すように、本実施形態に係る虹彩部材４０と同一構成の虹彩部材４０´に対して円錐部材７０が取り付けられた態様のものである。よって、虹彩部材４０´に対して本実施形態に係る軸部材５０及び支持部材６０を取り付けることにより、本実施形態に係る義眼体ＡＥとして使用することができる。この場合、従来から市販されている義眼体ＡＥ´には、外径の異なる複数のサイズのものがあり、虹彩部材４０´の内径もサイズ毎に異なっているが、支持部材６０には、各支持片６３の外面に複数の段差を設けているため、支持部材６０に対し、いずれのサイズの虹彩部材４０´に取り付けたとしても、各支持片６３に虹彩部材４０がサイズに合った適切な段差で引っ掛かる。
【００３２】
次に、本発明に係る人形の頭部１００の組立手順を図６に基づいて説明する。
【００３３】
先ず、図６（ａ）に示すように、顔体１０の内部空間Ｓに対し、二つ折り状態の弾性体ＥＢを圧縮させた状態で収容する。これにより、顔体１０の内部空間Ｓのうちで、瞼状開口１２側（顔面側）の内面と後頭部側の内面との間が弾性体ＥＢによって満たされた状態となると共に、両側頭部側の内面の間が弾性体ＥＢで満たされた状態となる（図７参照）。
【００３４】
次に、図６（ｂ）に示すように、顔体１０の内部空間Ｓを満たす弾性体ＥＢの瞼状開口１２と対向する面を、後頭部側へ後退させるように圧縮し、これによって形成される顔体１０の内面と弾性体ＥＢとの隙間に義眼体ＡＥを挿入する。この状態において、顔体１０の内部空間Ｓに対し、弾性体ＥＢが、義眼体ＡＥの支持部材６０と後頭部との間で圧縮状態となり、また、両側頭部の間で圧縮状態となる。その結果、弾性体ＥＢが、義眼体ＡＥを瞼状開口１２周囲に押圧し、また、後頭部及び両側頭部を押圧した状態となる。そして、瞼状開口１２から覗く義眼体ＡＥを目視しながら、義眼体ＡＥ全体を前後左右等に回転させて義眼体ＡＥの目線の向きを調整する。続いて、図６（ｃ）に示すように、支持部材６０に対して虹彩部材４０を回転させて瞼状開口１２から覗く虹彩４１のその瞼状開口１２の周方向に対する向きを調整する。
【００３５】
最後に、図６（ｄ）に示すように、顔体１０に対して頭頂体２０を結合させる。なお、この時、瞼状開口１２から外方へ覗く義眼体ＡＥの目線の向きや虹彩４１の瞼状開口１２の周方向に対する向きがずれてしまった場合には、ゴム等が先端に取り付けられた棒Ｒによって瞼状開口１２の外方から義眼体ＡＥを操作して調整する。
【００３６】
このような構成にすれば、弾性体ＥＢの弾性変形を利用して義眼体ＡＥを包み込むように固定しているため、義眼体ＡＥのサイズが変化したとしても同じように固定することができる。
【００３７】
また、頭体ＨＢの内部空間Ｓに対して弾性体ＥＢを圧縮状態で押し込み、その弾性体ＥＢが内部空間Ｓで伸長した後に、ある程度圧縮状態を維持したまま義眼体ＡＥ及び頭体ＨＢ内面を押圧することにより、弾性体ＥＢが内部空間Ｓに対して動かないように固定される。これにより、弾性体ＥＢを内部空間Ｓに対して固定する手段を別途設ける必要がなく、簡略な構造で義眼体ＡＥを固定することができる。
【００３８】
なお、本実施形態においては、図７において矢印で示すように、弾性体ＥＢが内部空間Ｓで伸長し、その内部空間Ｓで圧縮状態を維持したまま義眼体ＡＥを押圧すると共に、頭体ＨＢの後頭部側内面及び両側頭部側内面のいずれの内面も押圧するように構成している。すなわち、弾性体ＥＢは、内部空間Ｓに収容された場合に、その内部空間Ｓで伸長するものの、義眼体ＡＥに接触すると共に、頭体ＨＢの後頭部側内面及び両側頭部側内面のいずれの内面にも接触し、完全には伸長し切れずにある程度圧縮された状態を維持するように構成されている。なお、弾性体ＥＢが、頭体ＨＢの内部空間Ｓで伸長し、その内部空間Ｓで圧縮状態を維持したまま少なくとも義眼体ＡＥを押圧すると共に、後頭部側内面又は両側頭部側内面の少なくとも一方の内面を押圧するように構成してもよい。このような構成にしても、弾性体ＥＢは、頭体ＨＢの内部空間Ｓにおいて、義眼体ＡＥと後頭部との間で支持された状態となるか、或いは、両側頭部の間で支持された状態となって動かないように固定される。
【００３９】
また、義眼体ＡＥが球体状又は略球体状になっているため、図６（ｂ）に示す状態において、義眼体ＡＥ全体を弾性体ＥＢに対して転がすように回転させることができ、義眼体ＡＥの目線の向きを簡単に調整することができる。なお、略球体状とは、球体状の他、楕円球状又は多面球状等のように完全な球体状でない形状も含む。
【００４０】
また、虹彩部材４０が支持部材６０に対して回転可能になっているため、狭い内部空間Ｓにおいても瞼状開口１２から覗く虹彩の模様のその開口１２の周方向に対する向きを簡単に調整することができる。
【００４１】
＜実施形態２＞
実施形態２に係る義眼体ＡＥは、前記実施形態１に係る義眼体ＡＥの変形例であり、図８に示すように、虹彩部材４０として、前記実施形態１に係る義眼体ＡＥのものと同一構成のものを使用しており、軸部材５０及び支持部材６０として、前記実施形態１に係る義眼体ＡＥのものと異なる構成のものを使用している。本実施形態に係る軸部材５０は、前記実施形態１に係る軸部材５０のフランジ５１が設けられていない態様のものである。また、本実施形態に係る支持部材６０は、前記実施形態１に係る支持部材６０の周溝６３が設けられていない態様のものであり、三つの支持片６３のうちの一つには、内側に突出する掛止片６４が設けられている。
【００４２】
そして、本実施形態に係る義眼体ＡＥは、図８に示すように、前記各部材４０，５０，６０を組み立てることにより、略球体状になる。詳述すると、先ず、支持部材６０の軸孔６１に対して虹彩部材４０の軸体４２を通す。次に、虹彩部材４０の軸体４２に対して軸部材５０を嵌め込み固定する。この状態において、支持部材６０の軸孔６１に対して軸部材５０が遊嵌し、また、支持部材６０の各支持片６３に対して虹彩部材４０がサイズに合った段差で引っ掛かると共に、一つの支持片６２の掛止片６４が軸部材５０に引っ掛かる。これにより、支持部材６０に対する虹彩部材４０の脱落が防止され、また、支持部材６０に対して虹彩部材４０が軸体４２を回転軸として回転可能に接続される。
【００４３】
＜実施形態３＞
実施形態３に係る義眼体ＡＥは、前記実施形態２に係る義眼体ＡＥの変形例であり、図９（ａ）に示すように、軸部材５０として、前記実施形態２に係る義眼体ＡＥのものと同一構成のものを使用しており、虹彩部材４０及び支持部材６０として、前記実施形態２に係る義眼体ＡＥのものと異なる構成のものを使用している。本実施形態に係る虹彩部材４０は、前記実施形態２に係る義眼体ＡＥを構成する虹彩部材４０の軸体４２よりも外径が太い態様のものである。また、本実施形態に係る支持部材６０は、軸部材５０が嵌り込む軸孔６１が平滑面側から半球面側へ貫通するように設けられた半球状のものであり、軸孔６１を囲む平滑面から環状の支持片６２が突出している。なお、支持片６２は、その先端側の内周面に内側に向かって突出する掛止片６４が設けられている。
【００４４】
そして、本実施形態に係る義眼体ＡＥは、図９（ｂ）に示すように、前記各部材４０，５０，６０を組み立てることにより、略球体状になる。詳述すると、先ず、支持部材６０の軸孔６１に対して虹彩部材４０の軸体４２を通す。次に、虹彩部材４０の軸体４２を軸部材５０の軸穴５２における内径が大きい方へ差し込んで固定する。この状態において、支持部材６０の軸孔６１に対して軸部材５０が遊嵌し、支持部材６０の支持片６２に対して虹彩部材４０がサイズに合った段差で引っ掛かると共に、支持片６２から内側に突出する掛止片６４が軸部材５０に引っ掛かる。これにより、支持部材６０に対する虹彩部材４０の脱落が防止され、また、支持部材６０に対して虹彩部材４０が軸体４２を回転軸として回転可能に接続される。
【００４５】
なお、従来の義眼体ＡＥ´を構成する虹彩部材４０は、サイズの違いによって軸体４２の太さが分かれている。そこで、前記実施形態２及び３において、共通部材である軸部材５０と、別態様の二つの支持部材６０とをセットとし、実施形態２に係る支持部材６０を、小さいサイズの虹彩部材４０に対応するように構成し、実施形態３に係る支持部材６０を、大きいサイズの虹彩部材４０に対応するように構成すれば、軸部材５０を共通部材とし、多くのサイズの虹彩部材４０に対応することができる。
【００４６】
＜その他の実施形態＞
前記各実施形態においては、弾性体ＥＢとして略直方体状のものを二つ折り状態にして使用しているが、弾性体ＥＢの形状はこれに限定されない。例えば、ブロック状のものを二つ折り状態にすることなく、頭体ＨＢの内部空間Ｓに圧縮状態で収容するようなものであってもよい。なお、圧縮状態とは、弾性体ＥＢが全体的に潰されて縮んでいる状態や、弾性体ＥＢが折り曲げられて部分的に縮んでいる状態も含む。また、頭体ＨＢに収容される弾性体ＥＢは、一つである必要はなく、複数であってもよい。
【００４７】
また、前記各実施形態の支持部材６０，６０´は、半球状のものであるが、楕円半球状のものであってもよい。また、その表面は、球面状でなくても、多面球面状であってもよく、その他の形状あればよい。
【００４８】
また、前記各実施形態の支持部材６０，６０´のように、支持片６２は、虹彩部材４０を安定して支持できるものであれば、円環状であってよく、複数の片からなるものであってもよい。
【００４９】
また、前記各実施形態の支持部材６０，６０´は、軸部材５０を介して虹彩部材４０に接続されているが、これに限定されず、虹彩部材４０に対して回転可能であれば、直接接続されたものであってもよい。
【００５０】
また、前記各実施形態の虹彩部材４０は、頭体ＨＢの瞼状開口１２に安定した状態で設置できるのであれば、点接触、線接触、面接触のいずれの態様で接触していてもよい。なお、点接触で接触している場合には、少なくも三点で接触していることが好ましい。
【符号の説明】
【００５１】
１００  頭部
１０  顔体
１２  瞼状開口
２０  頭頂体
ＨＢ  頭体
ＥＢ  弾性体
ＡＥ  義眼体
４０  虹彩部材
６０  支持部材
【図１】
2018187256.tif 000003
【図２】
2018187256.tif 000004
【図３】
2018187256.tif 000005
【図４】
2018187256.tif 000006
【図５】
2018187256.tif 000007
【図６】
2018187256.tif 000008
【図７】
2018187256.tif 000009
【図８】
2018187256.tif 000010
【図９】
2018187256.tif 000011